(57)【要約】【課題】  パンツ等の伸縮テープの長さ調整に使用され、使用者が簡単に長さの調整が可能な紐状体の長さ調整具を提供する。【解決手段】  一端でヒンジ結合された第１と第２の抑え片と、これら第１と第２の抑え片の他端にヒンジ結合された第１と第２の蓋体とを有し、前記第１と第２の抑え片が紐状体を挟み、かつ、紐状体を外側に巻き付けた状態のものを前記第１と第２の両蓋体で挟んで閉じたとき、前記蓋体を閉じた状態に保持する係止部を有する。【選択図】      図２
2008303504.tif 000002
【特許請求の範囲】
【請求項１】
一端でヒンジ結合された第１と第２の抑え片と、これら第１と第２の抑え片の他端にヒンジ結合された第１と第２の蓋体とを有し、前記第１と第２の抑え片が紐状体を挟み、かつ、該紐状体を抑え片の外側に巻き付けた状態のものを前記第１と第２の両蓋体で挟んで閉じたとき、前記蓋体を閉じた状態に保持する係止部を前記第１と第２の蓋体に設けたことを特徴とする紐状体の長さ調整具。
【請求項２】
前記第１と第２の抑え片に、前記紐状体の保持範囲を画定するガイド突起を形成したことを特徴とする請求項１に記載の紐状体の長さ調整具。
【請求項３】
前記第１と第２の蓋体部の一方に突起を有し、前記第１と第２の蓋体部の他方に穴を有し、前記突起が前記穴に嵌合することで前記第１と第２の蓋体部が閉じる位置を合わせることを特徴とする請求項１又は２に記載の紐状体の長さ調整具。
【請求項４】
前記第１と第２の蓋体部に、貫通孔を穿設したことを特徴とする請求項１から３のいずれかに記載の紐状体の長さ調整具。
【発明の詳細な説明】
【技術分野】
【０００１】
本発明は、衣類のウエスト部などに使用される伸縮テープなどの長さを調整する紐状体の長さ調整具に関する。
【背景技術】
【０００２】
パジャマパンツやトレーニングパンツなどのウエスト部、ベッドシーツのカバー、ブラジャーのストラップ等（以後、これらを総称して「パンツ等」という）には、伸縮テープが多く使用されてきている。この伸縮テープは、環状あるいはＵ字状を形成して、その付属体にフィットさせるためのものであるが、例えば、その伸縮テープが長すぎるために身体にフィットしない場合には、何らかの方法を用いて短くする必要がある。例えば、パジャマパンツの伸縮テープを短くするには、通常、環状の伸縮テープをいったん切断し、長さを調整してから、結んで環状にしたり、その伸縮テープ自体を、新しいものに取り替えたりする。しかしながら、伸縮テープを切断し再度結び直す方法では、結び目が解けたり、団子状になって邪魔になったり、見栄えが悪くなったりし、また、新しいものに取り替える方法では、新たに伸縮テープを準備しなくてはならない。
そこで、特許文献１（特開２００３−３３０５）では、係止金具とループを用いた調整方法を提案している。すなわち、環状の伸縮テープをパンツ等の挿通穴から引き出し、余りの部分を係止金具に通し、通した先の部分をパンツに形成されたループに係止するものである。
【特許文献１】特開２００３−３３０５
【発明の開示】
【発明が解決しようとする課題】
【０００３】
しかしながら、上記特許文献１に記載の方法では、パンツ等の所定の位置にループを形成しておかなくてはならない。このループが無いと、余剰の伸縮テープを係止できず、ひらひらして邪魔になる。一方、パンツ等を製造する段階であれば、このループを作っておくことができるが、後からループを付けるのは、使用者の負担を増すこととなってしまう。更に、この方法では、パンツの外側部に係止金具が表出することとなり、外観上もあまり好ましくない。
【０００４】
本発明は、斯かる実情に鑑み、パンツ等の使用者が簡単に長さの調整が可能な紐状体の長さ調整具を提供することを目的としている。
【課題を解決するための手段】
【０００５】
上記の目的を達成するために本発明の紐状体の長さ調整具は、一端でヒンジ結合された第１と第２の抑え片と、これら第１と第２の抑え片の他端にヒンジ結合された第１と第２の蓋体とを有し、前記第１と第２の抑え片が紐状体を挟み、かつ、該紐状体を外側に巻き付けた状態のものを前記第１と第２の両蓋体で挟んで閉じたとき、前記蓋体を閉じた状態に保持する係止部を前記第１と第２の蓋体に設けたことを特徴としている。
【０００６】
前記第１と第２の抑え片に、前記紐状体の保持範囲を画定するガイド突起を形成した構成にしたり、前記第１と第２の蓋体部の一方に突起を有し、前記第１と第２の蓋体部の他方に穴を有し、前記突起が前記穴に嵌合することで前記第１と第２の蓋体部が閉じる位置を合わせる構成としたり、前記第１と第２の蓋体部に、通気用の孔を穿設した構成としたりすることができる。
【発明の効果】
【０００７】
本発明によれば、パンツ等の伸縮テープが長い場合、パンツ等の伸縮テープを挿通した穴から伸縮テープを引き出し、伸縮テープを第１と第２の抑え片の間に挟む。そして、挟んだ状態から第１と第２の抑え片を回転させて伸縮テープを第１と第２の抑え片に巻き付ける。そうすることで、伸縮テープは、巻き付けられた長さだけ短くなる。伸縮テープが所望の長さになったら、巻き付けた部分を第１と第２の蓋体で両側から覆い、係止部によって閉じる。以上によって伸縮テープを所望の長さに調整することができる。伸縮テープは、環状のままでよく、切断する必要がない。また、係止部で第１と第２の蓋体を係止するので、調整された長さを安定して保持できる。更に、蓋体を開き、係止状態を解くことによって、再度、その長さを調整することができ、体型の変化等に追随しやすいものである。本発明は、以上のような優れた効果を奏するものである。
【発明を実施するための最良の形態】
【０００８】
以下、本発明の実施の形態を添付図面を参照して説明する。
図１は、本発明の紐状体の長さ調整具（以下「調整具」という）を使用した状態を示す図で、パジャマのパンツの斜視図である。パジャマのパンツＡのウエスト部分には、平たい帯状の伸縮テープＢが取り付けられている。本発明の調整具１０は、この伸縮テープＢの長さを調整するものである。
【０００９】
図２は本発明の調整具１０の一例を示す図で、（ａ）は正面図、（ｂ）は下面図、（ｃ）は（ａ）のＩ−Ｉ断面図、（ｄ）は（ａ）のII−II断面図である。これらの図に示す調整具１０は、プラスチックの一体成形品である。そして、第１の抑え片１１と第２の抑え片１２とは一端をヒンジ１３で結合している。第１の抑え片１１の他端には、第１の蓋体１４があり、第２の抑え片１２の他端には第２の蓋体１５がある。第１の抑え片１１と第１の蓋体１４とはヒンジ１６で結合され、第２の抑え片１２と第２の蓋体１５とはヒンジ１７で結合されている。ヒンジ１３、１６、１７は、この場合、プラスチックの薄肉部分からなるが、細金具を用いたヒンジなど、その他の方法を用いることもできる。
【００１０】
第１と第２の抑え片１１、１２には、ヒンジ１３の近傍に抑え片を横断するガイド突起１１ａ、１２ａがあり、第１と第２の蓋体１４、１５の近傍にも同じガイド突起１１ｂ、１２ｂがある。
【００１１】
第１の蓋体１４は、長円形で周囲にリブがあって、中央が凹んだ深皿状である。そして、放射状に４つの貫通孔１４ａがあり、図の上下には、３本ずつの柱状突起１４ｂがある。さらに、第１の抑え片１１と対向する側に、係止部１４ｃが形成されている。
【００１２】
第２の蓋体１５は、第１の蓋体１４と同じ形状の長円形で、周囲にリブがあって、中央が凹んだ深皿状である。そして、放射状に４つの長孔１５ａがあり、図の上下には、３本ずつの中空柱１５ｂがある。さらに、第２の抑え片１２と対向する側に、係止部１５ｃが形成されている。
【００１３】
図３は、上記した本発明の調整具１０の使用の方法について説明する図で、（ａ）は調整作業中の状態、（ｂ）は調整完了状態を示す。図４は図３（ｂ）のIII−III断面図である。
【００１４】
第１の抑え片１１と第２の抑え片１２とをヒンジ１３で２つ折りに折り曲げ、中間に帯状の伸縮テープＢを１枚挟む。そして、図３（ａ）に示す軸ａを中心に回転させる。すると、図４に示すように、第１の抑え片１１と第２の抑え片１２との周囲に帯状の伸縮テープＢが巻き付く。ガイド突起１１ａ、１１ｂ、１２ａ、１２ｂがあるので、伸縮テープＢを抑え片の所定の位置に巻き付けることができる。こうして巻き付けた長さだけパンツＡの伸縮テープＢは短くなる。
【００１５】
伸縮テープＢが所望の長さになったら、第１の蓋体１４と第２の蓋体１５をヒンジ１６、１７を中心に回動し、係止部１４ｃ、１５ｃを係止させる。また、柱状突起１４ｂが、中空柱１５ｂに嵌合することによって、第１の蓋体１４と第２の蓋体１５の位置決めをすることができる。これらによって第１の蓋体１４と第２の蓋体１５はロックされ、閉じた状態を保持する。このとき、帯状の伸縮テープＢが巻き付いた第１の抑え片１１と第２の抑え片１２とは、第１の蓋体１４と第２の蓋体１５とで作る空間内で回転することができないので、伸縮テープＢは調整された長さを保持することができる。柱状突起１４ｂと中空柱１５ｂとの嵌合構造を適当にすることで、係止部１４ｃ、１５ｃを省略することもできる。
【００１６】
また、第１の蓋体１４と第２の蓋体１５には、貫通孔１４ａ、１５ａがあるので、内部に湿気や水気が溜まるのを防止することができる。
【００１７】
本発明の調整具１０は、第１の抑え片１１と第２の抑え片１２と、第１の蓋体１４と第２の蓋体１５とがプラスチックの一体成形で形成されている。また、第１の蓋体１４と第２の蓋体１５とを閉じた状態では、調整具１０は薄くて平らな状態になるので、装着しても違和感を殆ど感じることがない。
【００１８】
以上の実施例では、伸縮テープＢは平たい帯状のものであったが、丸い伸縮テープでも同じである。また、伸縮テープＢの素材も、ゴム（天然ゴムや合成ゴム）やエラストマー、または弾性糸を使用した細幅織編物など、所望の弾性を有するものであれば、種類を問わずに使用できる。なお、伸縮テープＢの巻き付け方も実施例に限定されるものではない。
【産業上の利用可能性】
【００１９】
本発明の調整具は、伸縮テープの長さを調整するものとして説明したが、伸縮テープ以外の紐の長さを調整するために使用することもできる。
【００２０】
例えば、本発明の調整具は、ブラジャーのストラップ等を調整するためにも使用することができる。その場合、蓋体の形状をハート型にしてみたり、星型にしてみたり、いろいろな形を施すことで、意匠性を増すこともできる。
【図面の簡単な説明】
【００２１】
【図１】本発明の紐状体の長さ調整具を使用した状態を示す図で、パジャマのパンツの斜視図である。
【図２】本発明の紐状体の長さ調整具の一例を示す図で、（ａ）は正面図、（ｂ）は下面図、（ｃ）は（ａ）のＩ−Ｉ断面図、（ｄ）は（ａ）のII−II断面図である。
【図３】上記した本発明の調整具の使用の方法について説明する図で、（ａ）は調整作業中の状態、（ｂ）は調整完了状態を示す。
【図４】図３（ｂ）のIII−III断面図である。
【符号の説明】
【００２２】
１０      紐状体の長さ調整具
１１      第１の抑え片
１１ａ、１１ｂ    ガイド突起
１２      第２の抑え片
１２ａ、１２ｂ    ガイド突起
１３      ヒンジ
１４      第１の蓋体
１４ａ    貫通孔
１４ｂ    柱状突起
１４ｃ    係止部
１５      第２の蓋体
１５ａ    長孔
１５ｂ    中空柱
１５ｃ    係止部
１６      ヒンジ
１７      ヒンジ
Ｂ        伸縮テープ
【図１】
2008303504.tif 000003
【図２】
2008303504.tif 000004
【図３】
2008303504.tif 000005
【図４】
2008303504.tif 000006